(57)【要約】      （修正有）【課題】装飾品を簡易にチェーン等からなる線状体から取外し再び装着する。線状体の所定の位置に複数の装飾品をデザイン的に形成して配置し、この状態を保持する。特別な工具を用いずに簡易迅速に所望とする状態に変更する。装飾品の取付状態で種々のメッセージを発信する。装飾性を向上させる。【解決手段】装飾品は表面側に装飾を施された本体部１４を有し、本体部１４に線状体を挿通する取付部１７を設ける。取付部１７に透孔１９を有するシリコンゴム等からなる弾性体１８を取付ける。本体部１４の側部に小穴２１を穿設する。本体部１４の背面側に裏部材を取付ける。本体部１４の側部の小穴２１から線状体を弾性体１８の透孔１９に挿通する。装飾品を線状体に対して摺動可能で且つ位置決め可能に取付ける。【選択図】図３
0003140225.tif 000002
【実用新案登録請求の範囲】
【請求項１】
適宜の長さの線状体と、該線状体に取付けられる装飾品とからなる装身具において、
前記装飾品は装飾を施された本体部を有し、該本体部に前記線状体を挿通する取付部が設けられ、該取付部に透孔を有する弾性体が取付けられ、前記線状体が弾性体の透孔に挿通され、前記装飾品が前記線状体に対して摺動可能で且つ位置決め可能に取付けられていることを特徴とする装身具。
【請求項２】
適宜の長さの線状体と、該線状体に取付けられる装飾品とからなる装身具において、
前記装飾品は表面側に装飾を施された本体部を有し、該本体部に前記線状体を挿通する取付部が設けられ、該取付部に透孔を有する弾性体が取付けられ、該本体部の側部に小穴が穿設され、該本体部の背面側に裏部材が取付けられ、前記本体部の側部の小穴から前記線状体が弾性体の透孔に挿通され、前記装飾品が前記線状体に対して摺動可能で且つ位置決め可能に取付けられていることを特徴とする装身具。
【請求項３】
前記装飾品の本体部の取付部に複数の弾性体が取付けられ、該複数の弾性体に複数の線状体が挿通され、該線状体の端部に甲丸線または角線が取付けられていることを特徴とする請求項１または請求項２に記載の装身具。
【請求項４】
前記線状体に複数の装飾品が取付けられ、該複数の装飾品は大きさ、形状、色彩及び材質が異なるものを、または同一のものを適宜選択して組み合わせることができるようになされていることを特徴とする請求項１、請求項２または請求項３の何れかに記載の装身具。
【考案の詳細な説明】
【技術分野】
【０００１】
本考案は適宜の長さのチェーン等からなる線状体と、この線状体に取付けられる装飾品とからなる装身具に関する。
【背景技術】
【０００２】
従来より、装身具として金、プラチナ、その他の貴金属等から形成された適宜の長さのチェーン等からなる線状体と、この線状体に吊り下げられた装飾品としての単一または複数個のダイヤ、ルビー、サファイア等の宝石を取付けたペンダント等からなる装身具が知られている。また装飾品としては天然石の他にキュービックジルコニア等の合成石を用いるものも知られている。
【０００３】
従来の装身具の装飾品はチェーンに対して自由に動くことができるようになされ、またはチェーンの所定の位置に固定的に取付けられているものである。また複数の宝石等を装飾品として用いる場合には、連結金具により複数の宝石を連結している（例えば、特許文献１参照。）。また貴金属製チェーンを用い、そのチェーン同士を接合して編み体のデザインネックレス、ブレスを形成し、適宜位置に宝石を固定的に配した装身具も知られている（例えば、特許文献２参照。）。
【特許文献１】特開２００６−１６７２１８号公報
【特許文献２】特開２００５−１９８９８２号公報
【考案の開示】
【考案が解決しようとする課題】
【０００４】
然し乍ら、従来の装身具は何れもチェーンに取付けられる装飾品がチェーンに固定的であったり、または自由に揺動したり、摺動してしまうものであった。
【０００５】
またチェーンの所定の位置に複数の装飾品をデザイン的に形成して自由な状態で配置しても、装飾品が摺動してしまい、所望とするデザインを保持することができず、またチェーンの所定の位置に固定的に装飾品を取付けた場合には、デザインの変更が簡易にできないものであった。
【０００６】
更に装身具の複数の装飾品をチェーンから取外し再び装着することが簡易にできず、装身具の所有者が装飾品の付け替えを特別な工具を用いずに簡易迅速に所望とする状態に変更することができないものであった。更に複数の装飾品の取付状態で種々のメッセージを発信することもできないものであった。
【０００７】
本考案の目的は、装飾品をチェーン等からなる線状体から取外し再び装着することが簡易にでき、線状体の所定の位置に複数の装飾品をデザイン的に形成して自由な状態で配置することができ、デザイン的に配置した状態を保持することができ、また特別な工具を用いずに簡易迅速に所望とする状態に変更することもでき、更に装飾品の取付状態で種々のメッセージを発信することができ、装飾性を向上させることができ、使用者の趣向を向上させることができ、経済性に優れた装身具を提供するものである。
【課題を解決するための手段】
【０００８】
本考案は上述せる課題に鑑みてなされたもので、本考案の請求項１に記載の装身具は、適宜の長さの線状体と、該線状体に取付けられる装飾品とからなる装身具において、
前記装飾品は装飾を施された本体部を有し、該本体部に前記線状体を挿通する取付部が設けられ、該取付部に透孔を有する弾性体が取付けられ、前記線状体が弾性体の透孔に挿通され、前記装飾品が前記線状体に対して摺動可能で且つ位置決め可能に取付けられていることを特徴とする。
【０００９】
また、本考案の請求項２に記載の装身具は、適宜の長さの線状体と、該線状体に取付けられる装飾品とからなる装身具において、
前記装飾品は表面側に装飾を施された本体部を有し、該本体部に前記線状体を挿通する取付部が設けられ、該取付部に透孔を有する弾性体が取付けられ、該本体部の側部に小穴が穿設され、該本体部の背面側に裏部材が取付けられ、前記本体部の側部の小穴から前記線状体が弾性体の透孔に挿通され、前記装飾品が前記線状体に対して摺動可能で且つ位置決め可能に取付けられていることを特徴とする。
【００１０】
また、本考案の請求項３に記載の装身具は、請求項１または請求項２に記載の装身具において、前記装飾品の本体部の取付部に複数の弾性体が取付けられ、該複数の弾性体に複数の線状体が挿通され、該線状体の端部に甲丸線または角線が取付けられていることを特徴とする。
【００１１】
更にまた、本考案の請求項４に記載の装身具は、請求項１、請求項２または請求項３の何れかに記載の装身具において、前記線状体に複数の装飾品が取付けられ、該複数の装飾品は大きさ、形状、色彩及び材質が異なるものを、または同一のものを適宜選択して組み合わせることができるようになされていることを特徴とする。
【考案の効果】
【００１２】
本考案の請求項１に記載の装身具によれば、適宜の長さの線状体と、該線状体に取付けられる装飾品とからなる装身具において、
前記装飾品は装飾を施された本体部を有し、該本体部に前記線状体を挿通する取付部が設けられ、該取付部に透孔を有する弾性体が取付けられ、前記線状体が弾性体の透孔に挿通され、前記装飾品が前記線状体に対して摺動可能で且つ位置決め可能に取付けられているので、弾性体の摩擦力及び弾性を利用して装飾品を線状体から取外し再び装着することが簡易にでき、線状体の所定の位置に複数の装飾品をデザイン的に形成して自由な状態で配置することができ、デザイン的に配置した状態を保持することができ、また特別な工具を用いずに簡易迅速に所望とする状態に変更することもでき、装飾性を向上させることができ、使用者の趣向を向上させることができ、経済性に優れた装身具を得ることができる。
【００１３】
本考案の請求項２に記載の装身具によれば、適宜の長さの線状体と、該線状体に取付けられる装飾品とからなる装身具において、
前記装飾品は表面側に装飾を施された本体部を有し、該本体部に前記線状体を挿通する取付部が設けられ、該取付部に透孔を有する弾性体が取付けられ、該本体部の側部に小穴が穿設され、該本体部の背面側に裏部材が取付けられ、前記本体部の側部の小穴から前記線状体が弾性体の透孔に挿通され、前記装飾品が前記線状体に対して摺動可能で且つ位置決め可能に取付けられているので、弾性体の摩擦力及び弾性を利用して装飾品を線状体から取外し再び装着することが簡易にでき、線状体の所定の位置に複数の装飾品をデザイン的に形成して自由な状態で配置することができ、デザイン的に配置した状態を保持することができ、また特別な工具を用いずに簡易迅速に所望とする状態に変更することもでき、装飾性を向上させることができ、使用者の趣向を向上させることができ、経済性に優れた装身具を得ることができる。
【００１４】
本考案の請求項３に記載の装身具によれば、前記装飾品の本体部の取付部に複数の弾性体が取付けられ、該複数の弾性体に複数の線状体が挿通され、該線状体の端部に甲丸線または角線が取付けられているので、甲丸線または角線を装飾品の本体部の取付部の複数の弾性体に容易に挿通させることができ、複数の装飾品を線状体から取外し再び装着することが簡易にでき、線状体の所定の位置に複数の装飾品をデザイン的に形成して自由な状態で配置することができ、デザイン的に配置した状態を複数の弾性体の摩擦力により保持することができ、また特別な工具を用いずに簡易迅速に所望とする状態に変更することもでき、装飾性を向上させることができ、使用者の趣向を向上させることができ、経済性に優れた装身具を得ることができる。
【００１５】
本考案の請求項４に記載の装身具によれば、前記線状体に複数の装飾品が取付けられ、該複数の装飾品は大きさ、形状、色彩及び材質が異なるものを、または同一のものを適宜選択して組み合わせることができるようになされているので、装飾品の取付状態で種々のメッセージを発信することができ、装飾性を向上させることができ、使用者の趣向を向上させることができる装身具を得ることができる。
【考案を実施するための最良の形態】
【００１６】
以下本考案に係る装身具を図面を参照して詳述する。
図１乃至図４には本考案に係る装身具の実施の形態が夫々示されており、図１は装身具の一部正面図、図２は装身具の装飾品の分解側面図、図３及び図４は装身具の組付け工程を夫々示す斜視説明図である。
【００１７】
図１及び図２に示す如く、本考案に係る装身具１１は金、プラチナ、その他の貴金属等から形成された適宜の長さのチェーン等からなる線状体１２と、この線状体１２に吊り下げられた装飾品１３とから形成されている。前記線状体１２は紐状の線状体であってもよく、この線状体１２の長さは首や手首に巻き付けて使用できる長さであればよい。前記適宜の長さのチェーン等からなる線状体１２の端部には甲丸線１６または角線が取付けられている。
【００１８】
前記装飾品１３としては複数個のダイヤ、ルビー、サファイア等の宝石１５が装飾として本体部１４に取付けられている。装飾品１３としては、複数個のダイヤ、ルビー、サファイア等の宝石１５を用いるものに限定されるものではなく、個数は単一から複数個、また天然石に限らずキュービックジルコニア等の合成石を用いるものであってもよく、更にペンダント等に利用できるものであればどのようなものであってもよい。
【００１９】
図３に示す如く、前記本体部１４に前記線状体１２を挿通する取付部１７が設けられ、この取付部１７に透孔を有するシリコンゴム等から形成された弾性体１８が取付けられている。このパイプ状の弾性体１８の透孔１９は線状体１２を挿通することができ、且つ位置決めすることができるように、線状体１２の太さより多少小径に形成される。尚、線状体１２の太さは適宜設定することができる。
【００２０】
また、前記本体部１４の側部に線状体１２の挿通用の小穴２１が穿設され、この側部の小穴２１は本実施の形態では上下一対対向状態で形成され、この小穴２１が左右一対形成されている。本体部１４の内部には前記上下一対の小穴２１と対向するように断面半円形状の収納凹部２２が形成され、この収納凹部２２にシリコンゴム等から形成された透孔１９を有する弾性体１８が嵌合して上下方向に移動しないように位置規制されている。尚、前記収納凹部２２は本実施の形態では左右平行な状態で一対形成されているが傾斜状態で設けることもできる。
【００２１】
図２に示す如く、本体部１４の表面側には装飾品１３を止める複数の爪部２３が形成され、図４に示す如く、本体部１４の背面側には本体部１４の内周縁に嵌合する円板状の裏部材２４が取付けられ、本体部１４の背面側に設けられた４個の爪部２５により裏部材２４が固定されている。この裏部材２４により弾性体１８が収納凹部２２に確実に支持され、脱落することがない。尚、裏部材２４の表面側には花柄の模様が形成されているが、適宜変形変更することができる。
【００２２】
前記本体部１４の側部の小穴２１から前記線状体１２の端部の甲丸線１６または角線が弾性体１８の透孔１９に挿通される。この場合、弾性体１８がシリコンから形成されているので、摺動性を有し且つ適宜の摩擦力を有するので、力を加えて移動させることができ、前記線状体１２の適宜の位置に前記装飾品１３を配置することにより、装飾品１３が前記線状体１２に対して摺動可能で且つ位置決め可能に取付けられる。
【００２３】
尚、本実施の形態では本体部１４に取付部１７を形成したが、図５及び図６に示す如く、断面円弧状の筒状のバチカン部分３１を取付部１７として形成することができ、このバチカン部分３１の両端３２には複数のスリット３３が形成されている。断面円弧状の筒状のバチカン部分３１に線状体１２の太さより多少小径の透孔１９を有する弾性体１８を嵌合させ、図６に示す如く、筒状のバチカン部分３１のスリット３３を有する両端３２を工具を用いて締め、弾性体１８を固定状態とするものであってもよい。この筒状のバチカン部分３１を線状体１２に適宜の間隔を置いて複数取付けることができる。
【００２４】
図１に示す如く、本実施の形態では相似形の大中小の装飾品１３を２本の線状体１２を用いて上下方向に適宜の間隔を置いて５個配置したが、同一のものを用いてもよく、この場合には記念日等に合わせて装飾品１３の数を増加してゆくことができ、また異なる高価な貴石を宝石１５とする装飾品１３に変更して用いるものであってもよい。
【００２５】
また前記線状体１２に複数の異なる装飾品１３を取付けることができ、複数の装飾品１３は大きさ、形状、色彩及び材質が異なるものを適宜選択して組み合わせることができる。例えば、ハート形、三角形状、四角形状、星形、イニシャル、数字、文字等を組み合わせることができる。この場合には装飾品の取付状態で種々のメッセージを発信することができる。装飾性を向上させることができ、使用者の趣向を向上させることができるものである。
【図面の簡単な説明】
【００２６】
【図１】本考案に係る装身具の一部正面図。
【図２】本考案に係る装身具の装飾品の分解側面図。
【図３】本考案に係る装身具の組付け工程を示す斜視説明図。
【図４】本考案に係る装身具の組付け工程を示す斜視説明図。
【図５】本考案に係る装身具の装飾品の異なる取付部を示す弾性体の組付け前の斜視図。
【図６】本考案に係る装身具の装飾品の異なる取付部を示す弾性体の組付け後の斜視図。
【符号の説明】
【００２７】
１１    装身具
１２    線状体
１３    装飾品
１４    本体部
１５    宝石
１６    甲丸線
１７    取付部
１８    弾性体
１９    透孔
２１    小穴
２２    収納凹部
２３    爪部
２４    裏部材
２５    爪部
３１    バチカン部分
３２    両端
３３    スリット
【図１】
0003140225.tif 000003
【図２】
0003140225.tif 000004
【図３】
0003140225.tif 000005
【図４】
0003140225.tif 000006
【図５】
0003140225.tif 000007
【図６】
0003140225.tif 000008